(57)【要約】【課題】色覚異常のユーザ及び色覚正常のユーザの両者に対応可能な照明装置及び照明システムを提供する。【解決手段】照明システム１は、照明装置２と、表示部３と、入力部４と、制御装置５と、偏光遮断メガネ６とを備えている。照明装置２は、色覚異常のユーザＵ１の色覚を補助するためのスペクトルを有する直線偏光の第１光Ｌ１を照射可能な第１光照射部１１と、第１光Ｌ１と偏光方向が直交する直線偏光の第２光Ｌ２を照射可能な第２光照射部１２とを備えている。偏光遮断メガネ６は、直線偏光の第２光Ｌ２を遮断するためのものである。【選択図】図１
2008282757.tif 000002
【特許請求の範囲】
【請求項１】
色覚を補助するためのスペクトルを有する第１光を照射する第１光照射手段と、
前記第１光とは異なるスペクトルを有する偏光された第２光を照射する第２光照射手段とを備えたことを特徴とする照明装置。
【請求項２】
色覚を補助するためのスペクトルを有する第１光を照射する第１光照射手段と、
前記第１光とは異なるスペクトルを有する偏光された第２光を照射する第２光照射手段と、
前記第２光を遮断可能な偏光遮断部材とを備えたことを特徴とする照明システム。
【請求項３】
ユーザの指示により前記第１光のスペクトルを変更する第１光変更手段を有する制御手段を備えたことを特徴とする請求項２に記載の照明システム。
【請求項４】
前記制御手段は、前記第１光のスペクトルの変更に対応させて前記第２光のスペクトルを変更する第２光変更手段を有することを特徴とする請求項３に記載の照明システム。
【請求項５】
前記第１光と前記第２光とを合成した合成光のスペクトルが一定になるように、前記制御手段は前記第２光変更手段を介して前記第２光を制御することを特徴とする請求項４に記載の照明システム。
【請求項６】
前記第２光は直線偏光であることを特徴とする請求項２〜５のいずれか１項に記載の照明システム。
【請求項７】
前記第１光は直線偏光であることを特徴とする請求項２〜６のいずれか１項に記載の照明システム。
【請求項８】
前記第１光及び前記第２光は偏光方向が互いに直交する直線偏光であることを特徴とする請求項２〜７のいずれか１項に記載の照明システム。
【請求項９】
基準となる色が表示された基準色表示手段を備えたことを特徴とする請求項３〜８のいずれか１項に記載の照明システム。
【請求項１０】
ユーザが自己の色覚に合わせたスペクトルを複数のスペクトルから選択することが可能なスペクトル選択手段を有し、
前記制御手段は、前記スペクトル選択手段により選択されたスペクトルに基づいて、前記第１光変更手段を介して前記第１光のスペクトルを制御することを特徴とする請求項３〜９のいずれか１項に記載の照明システム。
【発明の詳細な説明】
【技術分野】
【０００１】
本発明は、色盲及び色弱（以下、色覚異常）のユーザの色覚を補助するための照明装置及び照明システムに関する。
【背景技術】
【０００２】
従来、色覚異常のユーザの色覚を補助するための技術が知られている。
【０００３】
色覚異常としては、大別すると以下の３つの型がある。Ｌ錐体細胞を有さないかまたは異常なことに起因する色覚異常（以下、第１型色覚異常）と、Ｍ錐体細胞を有さないかまたは異常なことに起因する色覚異常（以下、第２型色覚異常）と、Ｓ錐体細胞を有さないかまたは異常なことに起因する色覚異常（以下、第３型色覚異常）の３つである。尚、Ｌ錐体細胞、Ｍ錐体細胞、Ｓ錐体細胞とは、人の目の網膜に分布する光を感じる視神経細胞のことであり、それぞれ、黄緑〜赤、緑〜橙、紫〜青の光を感じるものである。
【０００４】
特許文献１には、色覚異常のユーザのために本来の画像データを変換して表示することができる画像形成装置が開示されている。この画像形成装置では、色覚異常のユーザが間違えやすい色のパターンが登録されたテーブルが記憶されている。そして、このテーブルに基づいて画像データを変換して表示部に表示することが可能に構成されている。
【特許文献１】特開２００６−２４６０７２号公報
【発明の開示】
【発明が解決しようとする課題】
【０００５】
しかしながら、特許文献１の画像形成装置では、色覚異常のユーザに対応させて画像を変換した状態で表示部に画像を表示するために、色覚正常のユーザがその画像を見ると画像の本来の色とは異なる色に見える。このため、特許文献１の画像形成装置では、色覚異常のユーザ及び色覚正常のユーザの両者に対応できないといった課題がある。
【０００６】
本発明は、上述した課題を解決するために創案されたものであり、色覚異常のユーザ及び色覚正常のユーザの両者に対応可能な照明装置及び照明システムを提供することを目的としている。
【課題を解決するための手段】
【０００７】
上記目的を達成するために、請求項１に記載の発明は、色覚を補助するためのスペクトルを有する第１光を照射する第１光照射手段と、前記第１光とは異なるスペクトルを有する偏光された第２光を照射する第２光照射手段とを備えたことを特徴とする照明装置である。
【０００８】
また、請求項２の発明は、色覚を補助するためのスペクトルを有する第１光を照射する第１光照射手段と、前記第１光とは異なるスペクトルを有する偏光された第２光を照射する第２光照射手段と、前記第２光を遮断可能な偏光遮断部材とを備えたことを特徴とする照明システムである。
【０００９】
また、請求項３の発明は、ユーザの指示により前記第１光のスペクトルを変更する第１光変更手段を有する制御手段を備えたことを特徴とする請求項２に記載の照明システムである。
【００１０】
また、請求項４の発明は、前記制御手段は、前記第１光のスペクトルの変更に対応させて前記第２光のスペクトルを変更する第２光変更手段を有することを特徴とする請求項３に記載の照明システムである。
【００１１】
また、請求項５の発明は、前記第１光と前記第２光とを合成した合成光のスペクトルが一定になるように、前記制御手段は前記第２光変更手段を介して前記第２光を制御することを特徴とする請求項４に記載の照明システムである。
【００１２】
また、請求項６の発明は、前記第２光は直線偏光であることを特徴とする請求項２〜５のいずれか１項に記載の照明システムである。
【００１３】
また、請求項７の発明は、前記第１光は直線偏光であることを特徴とする請求項２〜６のいずれか１項に記載の照明システムである。
【００１４】
また、請求項８の発明は、前記第１光及び前記第２光は偏光方向が互いに直交する直線偏光であることを特徴とする請求項２〜７のいずれか１項に記載の照明システムである。
【００１５】
また、請求項９の発明は、基準となる色が表示された基準色表示手段を備えたことを特徴とする請求項３〜８のいずれか１項に記載の照明システムである。
【００１６】
また、請求項１０の発明は、ユーザが自己の色覚に合わせたスペクトルを複数のスペクトルから選択することが可能なスペクトル選択手段を有し、前記制御手段は、前記スペクトル選択手段により選択されたスペクトルに基づいて、前記第１光変更手段を介して前記第１光のスペクトルを制御することを特徴とする請求項３〜９のいずれか１項に記載の照明システムである。
【発明の効果】
【００１７】
本発明によれば、偏光された第２光を遮断する偏光遮断部材を介して色覚異常のユーザが対象物を見ると、色覚異常のユーザは第１光によって対象物を見ることができ、色覚正常のユーザは第１光及び第２光によって対象物を見ることができる。これによって、色覚異常のユーザ及び色覚正常のユーザの両者が対象物を適切な光によって見ることができる。
【発明を実施するための最良の形態】
【００１８】
以下、図面を参照して本発明の実施形態を説明する。図１は、本発明の実施形態による照明システムの概略図である。
【００１９】
図１に示すように、照明システム１は、照明装置２と、表示部３と、入力部４と、制御装置５と、偏光遮断メガネ（請求項の偏光遮断部材に相当）６とを備えている。
【００２０】
照明装置２は、第１光照射部１１と、第２光照射部１２とを備えている。
【００２１】
第１光照射部１１は、色覚異常のユーザＵ１の色覚を補助するためのスペクトルを有する第１光Ｌ１を照射するためのものである。第１光照射部１１は、青色光源１３と、緑色光源１４と、赤色光源１５と、偏光部材１６〜１８とを備えている。３つの光源１３〜１５は、ユーザの指示に基づいて制御装置５が電圧の制御を行うことによって、出力をそれぞれ独立に変更することが可能に構成されている。偏光部材１６〜１８は、各光源１３〜１５から照射される光を同じ方向に偏光された直線偏光にするためのものである。
【００２２】
第２光照射部１２は、第１光Ｌ１とは偏光方向が直交した直線偏光からなる第２光Ｌ２を照射するためのものである。第２光照射部１２は、青色光源２０と、緑色光源２１と、赤色光源２２と、偏光部材２３〜２５とを備えている。３つの光源２０〜２２は、第１光照射部１１の光源１３〜１５の出力が変更されると、その変更に対応して第１光Ｌ１と第２光Ｌ２とを合成した光（以下、合成光）が白色光となるように制御装置５によって出力が独立に制御される。偏光部材２３〜２５は、各光源２０〜２２から照射された光を同じ方向に偏光された直線偏光であって、第１光Ｌ１とは偏光方向が直交した直線偏光にするためのものである。
【００２３】
表示部３には、液晶ディスプレイが設けられ、短波長側の色（青色）〜長波長側の色（赤色）の複数の基準色を矩形状に表示した色表示３０が波長の順に並べて表示される。色覚異常のユーザＵ１は、この表示部３に表示された色表示３０を参照して、異なる色にもかかわらず同じ色に見える色表示３０が異なって見えるように入力部４を介して第１光Ｌ１を調整する。
【００２４】
入力部４は、ユーザが種々の指示を入力するためのものである。入力部４は、選択スイッチ３１、３２、３３と、テンキー３４と、調整つまみ３５、３６、３７とを備えている。
【００２５】
選択スイッチ３１〜３３は、３つの型の色覚異常に対応している。選択スイッチ３１が操作されると、Ｌ錐体細胞が異常な色覚異常に対応した第１基準スペクトルを有する第１光Ｌ１を照射するように、制御装置５が第１光照射部１１の各光源１３〜１５を制御する。選択スイッチ３２が操作されると、Ｍ錐体細胞が異常な色覚異常に対応した第２基準スペクトルを有する第１光Ｌ１を照射するように、制御装置５が第１光照射部１１の各光源１３〜１５を制御する。選択スイッチ３３が操作されると、Ｓ錐体細胞が異常な色覚異常に対応した第３基準スペクトルを有する第１光Ｌ１を照射するように、制御装置５が第１光照射部１１の各光源１３〜１５を制御する。尚、各基準スペクトルに関しては後述する。
【００２６】
テンキー３４は、ユーザＵ１が自己の色覚異常に対応させて設定した特定スペクトルに関連付けられた短縮番号を入力するためのものである。これによって、ユーザＵ１は、第１光Ｌ１の微調整を毎回行うことなく、自己の色覚異常に対応した適切な第１光Ｌ１を照射することができる。
【００２７】
調整つまみ３５〜３７は、第１光Ｌ１を構成する第１光照射部１１の各光源１３〜１５の出力を個別に調整するためのものである。これらの調整つまみ３５〜３７を操作することによって、各光源１３〜１５の出力を微調整し、各ユーザＵ１の色覚異常の型に合わせて個別に対応することができる。
【００２８】
制御装置５は、照明システム１の制御全般を司るものである。制御装置５には、照明装置２と、表示部３と、入力部４とが信号を送受信可能に接続されている。制御装置５は、第１光変更部４１と、第２光変更部４２と、記憶部４３とを備えている。
【００２９】
制御装置５は、入力部４から入力されたユーザＵ１の指示に基づいて、第１光変更部４１を介して第１光照射部１１の各光源１３〜１５への供給電圧を変更して、第１光Ｌ１のスペクトルを変更する。
【００３０】
制御装置５は、第１光Ｌ１のスペクトルを変更すると、合成光が白色光になるように、第２光変更部４２を介して第２光照射部１２の各光源２０〜２２への供給電圧を調整して、第２光Ｌ２のスペクトルを変更する。
【００３１】
制御装置５は、３つの型の色覚異常に対応した選択スイッチ３１〜３３の基準スペクトルを記憶部４３に記憶するとともに、各ユーザＵ１によって設定された特定スペクトルをユーザＵ１が規定した短縮番号に関連付けて記憶部４３に記憶させる。
【００３２】
ここで、基準スペクトルとは、色覚異常の型を３つに分け、それぞれの色覚を補助することが可能な３つのスペクトルのことである。第１基準スペクトルは、Ｌ錐体細胞を有さないまたはＬ錐体細胞が異常な第１型色覚異常に対応したスペクトルである。この第１基準スペクトルは、青色〜緑色にかけて光の強度が減少し、緑色〜赤色にかけて光の強度が増加し、且つ、青色よりも赤色の光の強度が僅かに大きいスペクトルである。第２基準スペクトルは、Ｍ錐体細胞を有さないまたはＭ錐体細胞が異常な第２型色覚異常に対応したスペクトルである。この第２基準スペクトルは、青色〜緑色にかけて光の強度が減少し、緑色〜赤色にかけて光の強度が増加する。尚、第２基準スペクトルは、青色の光の強度が第１基準スペクトルの青色の光の強度に比べて非常に小さく、青色よりも赤色の光の強度が非常に大きいスペクトルである。第３基準スペクトルは、Ｓ錐体細胞を有さないまたはＳ錐体細胞が異常な第３型色覚異常に対応したスペクトルである。この第３基準スペクトルは、青色〜赤色にかけて光の強度が増加するスペクトルである。
【００３３】
偏光遮断メガネ６は、偏光フィルターからなる。偏光遮断メガネ６は、第１光Ｌ１を透過しつつ、直線偏光の第２光Ｌ２を遮断するためのものである。色覚異常のユーザＵ１は、この偏光遮断メガネ６をかけることによって、直線偏光である第２光Ｌ２が遮断され、色覚を補助するための第１光Ｌ１のみによって対象物１００を見ることができる。尚、対象物１００には、例えば、金属粉が塗布されたシルバースクリーンなどの偏光維持機能を備えたものを適用する。
【００３４】
次に、上述した照明システムの動作説明を行う。
【００３５】
まず、照明装置２のオンスイッチ（図示略）が操作されると、第１光照射部１１からは直線偏光の第１光Ｌ１が照射され、第２光照射部１２からは第１光Ｌ１と偏光方向が直交する直線偏光の第２光Ｌ２が照射される。
【００３６】
次に、色覚異常のユーザＵ１の色覚を補助するためのスペクトルを有する第１光Ｌ１を調整するための複数の第１光調整方法について説明する。
【００３７】
まず、第１の第１光調整方法として、色覚異常のユーザＵ１が全てをマニュアルで調整する方法がある。具体的には、色覚異常のユーザＵ１が、表示部３の色表示３０を参照しつつ、異なる色にも関わらす同じ色に見える色表示３０を、異なって見えるように調整つまみ３５〜３７を操作する。このユーザＵ１の操作に基づいて、制御装置５は第１光変更部４１を介して第１光Ｌ１のスペクトルを変更する。
【００３８】
第２の第１光調整方法として、ユーザＵ１が自己の色覚異常に対応した選択スイッチ３１〜３３のいずれかを操作することによって、制御装置５は選択スイッチ３１〜３３に対応して記憶部４３に記憶している３つの基準スペクトルのいずれかになるように第１光変更部４１を介して第１光Ｌ１のスペクトルを変更する。更に、ユーザＵ１は、より自己の色覚異常に対応させるために調整つまみ３５〜３７によって第１光Ｌ１のスペクトルを微調整してもよい。
【００３９】
第３の第１光調整方法として、ユーザＵ１が、テンキー３４によって短縮番号を入力すると、制御装置５はユーザＵ１が過去に設定して記憶部４３に短縮番号と関連付けて記憶させた特定スペクトルとなるように第１光変更部４１を介して第１光Ｌ１のスペクトルを変更する。
【００４０】
次に、第１光Ｌ１のスペクトルが調整されると、制御装置５は、第１光Ｌ１と第２光Ｌ２とを合成した合成光が白色光となるように第２光Ｌ２のスペクトルを第２光変更部４２を介して変更する。
【００４１】
次に、第１光Ｌ１及び第２光Ｌ２が調整された状態で、偏光遮断メガネ６をかけた色覚異常のユーザＵ１が対象物１００を見た場合、第２光Ｌ２は偏光遮断メガネ６で遮断されるので、ユーザＵ１は第１光Ｌ１のみによって対象物１００を見ることになる。これにより、自己の色覚異常に対応した第１光Ｌ１によって対象物１００を見ることになるので、ユーザＵ１は対象物１００の色の違いを認識しやすい状態で見ることができる。一方、偏光遮断メガネ６をかけていない色覚正常のユーザＵ２は、第１光Ｌ１及び第２光Ｌ２を合成した合成光（白色光）によって対象物１００を見ることになるので、対象物１００を正常な色で認識することができる。
【００４２】
上述したように、本実施形態にかかる照明システム１では、互いに偏光方向が直交する直線偏光である第１光Ｌ１及び第２光Ｌ２を照射可能な第１光照射部１１及び第２光照射部１２を有する照明装置２と、第２光Ｌ２を遮断可能な偏光遮断メガネ６とを備えることによって、偏光遮断メガネ６をかけた色覚異常のユーザＵ１は色覚異常に対応したスペクトルに調整された第１光Ｌ１のみにより対象物１００を見ることができるとともに、偏光遮断メガネ６をかけない色覚正常のユーザＵ２は第１光Ｌ１及び第２光Ｌ２を合成した合成光（白色光）により対象物１００を見ることができる。これによって、色覚異常のユーザＵ１及び色覚正常のユーザＵ２の両者が、それぞれに適した光により対象物１００を見ることができる。
【００４３】
また、第１光Ｌ１のスペクトルを変更するための第１光変更部４１を有する制御装置５を設けることによって、各ユーザＵ１の色覚異常に合わせて第１光Ｌ１を調整することができる。更に、第１光Ｌ１及び第２光Ｌ２を合成した合成光が白色光となるように第２光変更部４２を介して第２光Ｌ２を制御する制御装置５を設けることによって、色覚正常のユーザＵ２は対象物１００を適切な光で見ることができる。
【００４４】
また、第２光Ｌ２を直線偏光にすることによって、偏光遮断メガネ６による第２光Ｌ２の遮断効率を向上させることができる。更に、第１光Ｌ１及び第２光Ｌ２を互いに偏光方向が直交する直線偏光により構成することによって、偏光遮断メガネ６による第１光Ｌ１の透過率を向上させることができる。
【００４５】
また、表示部３に基準色の色表示３０を表示することによって、ユーザＵ１は色表示３０を見ながら第１光Ｌ１を調整することができる。更に、各基準スペクトルを選択可能な選択スイッチ３１〜３３を設けることによって、最初の第１光調整を容易に行うことができる。
【００４６】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。以下、上記実施形態を一部変更した変更形態について説明する。
【００４７】
例えば、上述の実施形態では、第１光照射部１１及び第２光照射部１２をともに赤色、緑色、青色の３色の光源で構成したが、２色の光源や４色以上の光源により第１光照射部及び第２光照射部を構成してもよい。
【００４８】
また、上述の実施形態では、第１光Ｌ１を直線偏光により構成したが、直線偏光を主成分にする光や円偏光、楕円偏光または偏光以外の光によって第１光を構成してもよい。
【００４９】
また、上述の実施形態では、第２光Ｌ２を直線偏光により構成したが、直線偏光を主成分にする光や円偏光、楕円偏光によって第２光を構成してもよい。
【００５０】
また、上述の実施形態では、第１光Ｌ１の偏光の方向と第２光Ｌ２の偏光の方向とが互いに直交するように構成したが、必ずしも直交させる必要はなく、両光の偏光の方向の交差角度は適宜変更可能である。
【００５１】
また、上述の実施形態では、表示部３及び入力部４を設けたが、表示部及び入力部は適宜省略及び変更可能である。
【００５２】
また、上述の実施形態では、表示部３に色表示３０を表示させたが、基準色を紙やパネルなど印刷したものを基準色表示手段として適用してもよい。また、表示部３には、基準色を波長の順に並べて表示するのではなく、使用する色覚異常のユーザにとって識別することが困難な２色以上の基準色を選択的に表示してもよい。
【００５３】
また、上述した基準スペクトルは一例であり、更に、色覚異常の型を細別して、４以上の型の基準スペクトルを設定してもよい。
【図面の簡単な説明】
【００５４】
【図１】本発明の実施形態による照明システムの概略図である。
【符号の説明】
【００５５】
１     照明システム
２     照明装置
３     表示部
４     入力部
５     制御装置
６     偏光遮断メガネ
１１   第１光照射部
１２   第２光照射部
１３   青色光源
１４   緑色光源
１５   赤色光源
１６〜１８    偏光部材
２０   青色光源
２１   緑色光源
２２   赤色光源
２３〜２５    偏光部材
３０   色表示
３１〜３３    選択スイッチ
３４   テンキー
４１   第１光変更部
４２   第２光変更部
４３   記憶部
１００ 対象物
Ｌ１    第１光
Ｌ２    第２光
Ｕ１、Ｕ２      ユーザ
【図１】
2008282757.tif 000003